(57)【要約】【課題】  複数の液晶パネルを重ねて配置し奥行き感のある画像を提供し、前後に交錯する画像が透けて見えるのを防ぎ、出力表示する画像の種類を切り換えて同期出力する表示装置を提供する。【解決手段】  フレームデータ群記憶部１０は、表示部４に表示する画像を記述するフレームデータの並びを液晶表示パネル毎に記憶している。前側の液晶表示パネルに視野を遮る画像が表示されている範囲に対応する後側の液晶表示パネル用のフレームデータには無模様を記述するデータが記憶されており、同期制御部６は、それらのフレームデータ群のなかで液晶表示パネルに出力するフレームデータ群を切り換える。【選択図】図１
2007233074.tif 000002
【特許請求の範囲】
【請求項１】
重ねて配置された複数枚の透明表示可能な平面表示パネルと、
平面表示パネルに表示する画像を記述するフレームデータの並びを平面表示パネル毎に記憶しているフレームデータ群／平面表示パネル記憶手段と、
一方の平面表示パネル用のフレームデータ群のなかから１つのフレームデータを選択して一方の平面表示パネルに出力した時に、他方の平面表示パネル用のフレームデータ群のなかから１つのフレームデータを選択して他方の平面表示パネルに出力する同期制御部を有し、
前側の平面表示パネルに視野を遮る画像が表示されている範囲に対応する後側の平面表示パネル用のフレームデータに、無模様を記述するデータが記憶されていることを特徴とする動的画像表示装置。
【請求項２】
前記フレームデータ群／平面表示パネル記憶手段は、１つの平面表示パネルに対して複数種類のフレームデータ群を記憶しており、
同期制御部は、タイミング信号を入力した時に、平面表示パネルに出力するフレームデータ群の種類を切り換えることを特徴とする請求項１の動的画像表示装置。
【請求項３】
前記フレームデータ群／平面表示パネル記憶手段は、前側の平面表示パネル用の１種類のフレームデータ群に透明無模様のフレームデータ群を記憶しており、後側の平面表示パネル用の１種類のフレームデータ群に無模様のフレームデータ群を記憶しており、
前記同期制御部は、一方の平面表示パネルに出力するフレームデータ群を無模様に切り換えるのに同期して、他方の平面表示パネルに出力するフレームデータ群を無模様から切り換えることを特徴とする請求項１又は２の動的画像表示装置。
【請求項４】
前記フレームデータ群／平面表示パネル記憶手段は、後側の平面表示パネル用のフレームデータ群に、前側の平面表示パネルに視野を遮る画像が表示されている範囲を無模様とした背景を記述するデータが記憶されていることを特徴とする請求項１から３のいずれかの動的画像表示装置。
【発明の詳細な説明】
【技術分野】
【０００１】
本発明は、複数枚の平面表示パネルを重ねて配置し、各々の平面表示パネルに個別の動的画像を同期表示する装置に関する。特に、透明表示な平面表示パネルを重ねて利用することによって、立体感に優れた動的画像を表示する装置に関する。
【背景技術】
【０００２】
ＬＣＤ、プラズマ、あるいは有機ＥＬ等を利用する平面表示パネルが開発されている。平面表示パネルは、重ねて配置することができる。透過型ＬＣＤや有機ＥＬ等を利用する平面表示パネルは、透明な状態とすることができる。透明な状態を表示可能な複数枚の平面表示パネルを重ねて配置すると、奥行きのある表示装置を実現することができ、その例が特許文献１に開示されている。
【０００３】
【特許文献１】特開２００６−４９８号公報
【発明の開示】
【発明が解決しようとする課題】
【０００４】
透明表示可能な複数枚の平面表示パネルを重ねて配置し、各々の平面表示パネルに個別の動的画像を同期表示する場合、前側の表示装置を完全に不透明とすることが困難であるために、本来は不透明な物体の背後の存在する物体が透けて見えてしまうことがある。
本発明では、透明表示可能な複数枚の平面表示パネルを重ねて配置し、各々の平面表示パネルに個別の動的画像を同期表示する方式において、本来は見えないはずの背後物体が透けて見えてしまうことを防止する技術を提供する。
【課題を解決するための手段】
【０００５】
本発明の動的画像表示装置は、重ねて配置された複数枚の透明表示可能な平面表示パネルと、平面表示パネルに表示する画像を記述するフレームデータの並びを平面表示パネル毎に記憶しているフレームデータ群／平面表示パネル記憶手段と、一方の平面表示パネル用のフレームデータ群のなかから１つのフレームデータを選択して一方の平面表示パネルに出力した時に、他方の平面表示パネル用のフレームデータ群のなかから１つのフレームデータを選択して他方の平面表示パネルに出力する同期制御部を有している。本発明の装置では、前側の平面表示パネルに視野を遮る画像が表示されている範囲に対応する後側の平面表示パネル用のフレームデータに、無模様を記述するデータが記憶されていることを特徴とする。ここでいう無模様は、黒色、白色、背景色または透明な状態が一様に表示されているために模様が存在しないことをいう。
【０００６】
上記の表示装置によると、前側の平面表示パネルに視野を遮る画像が表示されているために本来は透けて見えない範囲では、後側の平面表示パネルに無模様が表示される。このために、後側に表示される画像が前側に表示される画像を透過して見えてしまうという不自然さを解消することができる。さらにフレームデータ内に無模様の記述が増えることで情報圧縮効率を向上することもできる。
【０００７】
平面表示パネル毎に平面表示パネルに表示する画像を記述するフレームデータの並びを記憶しているフレームデータ群／平面表示パネル記憶手段が、１つの平面表示パネルに対して複数種類のフレームデータ群を記憶していてもよい。この場合は、同期制御部が、タイミング信号を入力した時に、平面表示パネルに出力するフレームデータ群の種類を切り換える。例えば、前側の平面表示パネル用にＦ１とＦ２のフレームデータ群を記憶しており、後側の平面表示パネル用にＲ１とＲ２のフレームデータ群を記憶している場合、Ｆ１とＲ１のフレームデータ群に従って画像を表示している間にタイミング信号を入力すると、その後はＦ２とＲ２のフレームデータ群に従って画像を表示するように切り換える。タイミング信号は種々のものであり得る。例えば、人が入力するタイミング信号であってもよいし、表示装置と組み合わされている装置の動作状態の切り換えに同期するタイミング信号であってもよい。例えば、表示装置が組み込まれている遊技装置あるいはゲーム装置の動作状態の変化に同期するタイミング信号であってもよい。
【０００８】
上記装置によると、例えば遊技装置あるいはゲーム装置に特定のイベント等が発生したり、あるいは特賞状態に切り換わったりした時に、それまでの表示態様と全く異なる態様の表示に切り換えることができる。
【０００９】
複数種類のフレームデータ群のうちの１種類は、無模様であってもよい。すなわち、前側の平面表示パネル用の１種類のフレームデータ群に透明無模様のフレームデータ群を記憶しており、後側の平面表示パネル用の１種類のフレームデータ群に無模様のフレームデータ群を記憶していてもよい。この場合、同期制御部が、一方の平面表示パネルに出力するフレームデータ群を無模様に切り換えるのに同期して、他方の平面表示パネルに出力するフレームデータ群を無模様から切り換える。
例えば、前側の表示パネルが模様を動画表示し、後側の表示パネルが無模様を表示している間にタイミング信号を入力すると、前側の表示パネルが透明無模様を表示し、後側の表示パネルが模様を動画表示するように切り換える。これに従って、観察する者には、画像が遠ざかった印象を与えることができる。この状態で再度タイミング信号が入力すると、前側の表示パネルが模様を動画を表示し、後側の表示パネルが無模様を表示するように切り換える。これに従って、観察する者に、画像が接近した印象を与えることができる。この状態では、後側の画像が透けて見えることがなく、画像が離反・接近する印象を与えることができる。
【００１０】
さらに、フレームデータ群／平面表示パネル記憶手段に記憶されている複数種類のフレームデータ群のうち、後側の平面表示パネル用のフレームデータ群に、前側の平面表示パネルに視野を遮る画像が表示されている範囲を無模様とした背景を記述するデータが記憶されていてもよい。例えば、前側の表示パネル用と後側の表示パネル用のフレームデータ群を無模様から切り換え、あるいは無模様へ切り換える表示により、画像が離反・接近する印象を与える動画表示の際に、後側にある表示パネルに前側の平面表示パネルに視野を遮る画像が表示されている範囲を無模様とした背景が表示されることで、さらに遠近感を強調した画像表示が可能となる。後側に位置する平面表示パネルは常に背景を表示することができる。
【発明の効果】
【００１１】
本発明によると、前側の平面表示パネルと後側の平面表示パネルに映し出される画像が重複する際に、後側に表示される画像が透過して見えてしまう不自然さを解消することができる。さらに、本発明では、フレームデータ内に無模様を記述するデータが多くなり、情報圧縮効率を向上させられる。
【発明を実施するための最良の形態】
【００１２】
最初に、以下に説明する実施例の主要な特徴を列記する。
（特徴１）  平面表示パネル毎に平面表示パネルに表示する画像を記述するフレームデータの並びを記憶している「フレームデータ群／平面表示パネル」記憶手段が、１つの平面表示パネルに対して複数種類のフレームデータ群を記憶していている。同期制御部には、複数種類のタイミング信号が入力する。同期制御部は、入力したタイミング信号の種類に応じて、各々の平面表示パネル用のフレームデータ群の種類を選択する。
（特徴２）  表示装置は、タイミング信号の種類毎にフレームデータ群の種類の組み合わせを記憶している「フレームデータ群の種類の組み合わせ／タイミング信号の種類」を記憶している装置を有する。
（特徴３）  「フレームデータ群／平面表示パネル」記憶手段は、１つの平面表示パネルに対して複数種類のフレームデータ群を記憶しており、同期制御部は、タイミング信号を入力した時に、平面表示パネルに出力するフレームデータ群の種類を切り換える。このとき、前側の平面表示パネルに視野を遮る画像が表示されている範囲に対応する後側の平面表示パネル用のフレームデータが無模様を記述するデータでなくてもよい。無模様であれば、後側に表示される画像が透過して見えてしまう不自然さを解消することができるが、模様付きであれば、透けて見える演出が可能となる。前後の平面表示パネルで同期を取りながら、表示する動画の種類を切り換えること自体で有用な結果を得ることができる。この技術は、前側の平面表示パネルに視野を遮る画像が表示されている範囲に対応する後側の平面表示パネル用のフレームデータに無模様を記述するデータを用意する技術から独立して利用することができる。
（特徴４）  「フレームデータ群／平面表示パネル」記憶手段は、平面表示パネルに表示される画像の少なくとも一部が、人物、動物、もしくは車やボール、立体的な数字などの可動物体のうち少なくとも１つを含んでいるフレームデータを記憶している。
（特徴５）  「フレームデータ群／平面表示パネル」記憶手段は、後側の平面表示パネル用のフレームデータ群に、前側の平面表示パネルに視野を遮る画像が表示されている範囲を無模様としない背景を記述するデータが記憶されている。
（特徴６）  同期制御部は、重ねて配置された複数枚の平面表示パネルのうち、１つの平面表示パネルに表示されている画像の少なくとも一部を、所定のタイミングにおいてもう１つの平面表示パネルに切り替えて表示し、２枚の平面表示パネルに交互に画像を往復させる表示をすることができる。
（特徴７）  同期制御部は、重ねて配置された３枚以上の平面表示パネルにおいて、１つの平面表示パネルに表示されている画像の少なくとも一部を、所定のタイミングにおいて別の平面表示パネルに順次表示することができる。
（特徴８）  同期制御部は、１つの平面表示パネルに表示されている画像の少なくとも一部が別の平面表示パネルに切り換えて表示される際に、大きさや形状を変えずに表示させることができる。
（特徴９）  同期制御部は、１つの平面表示パネルに表示されている画像の少なくとも一部が別の平面表示パネルに切り換えて表示される際に、大きさや形状を変えて表示させることができる。
【実施例】
【００１３】
（第１実施例）
以下、図面を参照しながら本発明の実施例について詳解する。図１は、本実施例の動的画像表示装置１００の概略構成を示すブロック図である。表示部４では、液晶表示パネル１，液晶表示パネル２，液晶表示パネル３の３枚の液晶表示パネルが、相互に適度な間隔を有するように重ねて配置されている（図２参照）。表示部４を見る者は、液晶表示パネル１の側から見る。液晶表示パネル１が前側に配置されており、液晶表示パネル３が後側に配置されている。液晶表示パネル１と液晶表示パネル２は透明な状態を作り出すことができ、見る者は液晶表示パネル３が表示する画像を見ることができる。
【００１４】
フレームデータ群記憶部１０は、液晶表示パネル１に出力する順序が予め指定されている複数のフレームデータの並びと、液晶表示パネル２に出力する順序が予め指定されている複数のフレームデータの並びと、液晶表示パネル３に出力する順序が予め指定されている複数のフレームデータの並びを記憶している。以下では、各表示パネルに出力する順序が予め指定されている複数のフレームデータの並びをフレームファイルという。
【００１５】
図４（Ａ）に、フレームファイルの概略構成を示す。ＦＦ１は、液晶表示パネル１に表示する動画を記述するフレームファイルであり、ｆ１１からｆ１ｎまでのｎ個のフレームデータの並びで構成されている。ＦＦ２は、液晶表示パネル２に表示する動画を記述するフレームファイルであり、ｆ２１からｆ２ｎまでのｎ個のフレームデータの並びで構成されている。ＦＦ３は、液晶表示パネル３に表示する動画を記述するフレームファイルであり、ｆ３１からｆ３ｎまでのｎ個のフレームデータの並びで構成されている。
フレームデータは、各種の形式で用意することができる。例えば、画素ごとの濃度情報を記述する形式であってもよいし、予め用意されているパターンの存在位置を記述するデータとパターン自体を記述するデータの組み合わせてあってよい。あるいは、先に表示する静止画像情報からの差分を記述するデータであってもよい。フレームデータは、データ圧縮技術で圧縮されたデータであってもよい。フレームファイルは、フレームデータの並びの他に、色情報やコーデック関連情報等を含んでいてもよい。
【００１６】
本実施例では、液晶表示パネル１に表示する２種類の動画が用意されており、フレームデータ群記憶部１０が、第１種類の動画を記述する第１種類のフレームファイルＦＦ１１０と第２種類の動画を記述する第２種類のフレームファイルＦＦ１２０を記憶している。フレームファイルの種類毎にｆ１１からｆ１ｎが用意されている。図６（ａ）〜（ｂ）が２種類の動画を例示している。
本実施例では、液晶表示パネル２に表示する１種類の動画が用意されている。フレームデータ群記憶部１０が、１種類の動画を記述するＦＦ２１０を記憶している。図７が、液晶表示パネル２用の１種類の動画を例示している。
本実施例では、液晶表示パネル３に表示する３種類の動画が用意されており、フレームデータ群記憶部１０が、第１種類の動画を記述する第１種類のフレームファイルＦＦ３１０と、第２種類の動画を記述する第２種類のフレームファイルＦＦ３２０と、第３種類の動画を記述する第３種類のフレームファイルＦＦ３３０を記憶している。図８（ａ）〜（ｃ）が３種類の動画を例示している。
【００１７】
図１に示すように、本実施例の表示装置１００には、操作部１６とセンサ部１８が接続されている。操作部１６とセンサ部１８から表示装置１００に各種のタイミング信号が入力される。
【００１８】
本実施例の表示装置１００は、フレームデータ出力パターン記憶部１４を備えている。これは、操作部１６とセンサ部１８から入力されるタイミング信号の種類に対し、液晶表示パネル１〜３に出力するフレームファイルの種類の組み合わせを記憶している。例えば、種類１のタイミング信号が入力されると、液晶表示パネル１にＦＦ１１０のフレームファイルからフレームデータを選択して出力し、液晶表示パネル２にＦＦ２１０のフレームファイル（この場合は１種類しかない）からフレームデータを選択して出力し、液晶表示パネル３にＦＦ３１０のフレームファイルからフレームデータを選択して出力するパターンに従うことを記憶している。あるいは、種類２のタイミング信号が入力されると、液晶表示パネル１にＦＦ１２０のフレームファイルからフレームデータを選択して出力し、液晶表示パネル２にＦＦ２１０のフレームファイルからフレームデータを選択して出力し、液晶表示パネル３にＦＦ３２０のフレームファイルからフレームデータを選択して出力するパターンに従うことを記憶している。あるいは、種類３のタイミング信号が入力されると、液晶表示パネル１にＦＦ１２０のフレームファイルからフレームデータを選択して出力し、液晶表示パネル２にＦＦ２１０のフレームファイルからフレームデータを選択して出力し、液晶表示パネル３にＦＦ３３０のフレームファイルからフレームデータを選択して出力するパターンに従うことを記憶している。
【００１９】
本実施例の表示装置１００は、タイミング信号種類判別部８を備えている。タイミング信号種類判別部８は、操作部１６とセンサ部１８から入力される信号を解析して入力したタイミング信号の種類を特定し、フレームデータ出力パターン記憶部１４にそのタイミング信号の種類に対応付けて記憶されているフレームファイルの種類の組み合わせを読み出し、特定されたフレームファイルの種類の組み合わせを同期制御部６に出力する。
【００２０】
同期制御部６は、タイミング信号種類判別部８が指定する種類のフレームファイルから同時に表示する３個のフレームデータを特定し、特定された３個のフレームを３つの表示パネル１〜３に出力する。図４に示すように、同期制御部６は、液晶表示パネル１用のフレームファイルＦＦ１から１つのフレームデータ（ｆ１１からｆ１ｎの１つ）を選択して液晶表示パネル１に出力する時に、液晶表示パネル２用のフレームファイルＦＦ２から１つのフレームデータ（ｆ２１からｆ２ｎの１つ）を選択して液晶表示パネル２に出力し、液晶表示パネル３用のフレームファイルＦＦ３から１つのフレームデータ（ｆ３１からｆ３ｎの１つ）を選択して液晶表示パネル３に出力する。この際、同時に出力するフレームデータの組み合わせは予め定められている。また、フレームファイルが複数種類存在する液晶表示パネル１，３に対しては、タイミング信号種類判別部８が指定する種類のフレームファイルから、１つのフレームデータを選択して液晶表示パネル１，３に出力する。
この結果、同期制御部６により、例えば、時間Ｔ１にはフレームデータｆ１１、ｆ２１およびｆ３１が出力され、時間Ｔ２にはフレームデータｆ１２、ｆ２２およびｆ３２が出力され、時間Ｔｎにはフレームデータｆ１ｎ、ｆ２ｎおよびｆ３ｎが出力される。本実施例では、ΔＴ毎に１個のフレームデータを出力する。ビットレートは、採用するハードウェア機器により適宜最適値を採用する。
【００２１】
図２は、表示部４の液晶表示パネル１，２，３の配置順序を示した図である。表示部４は遊技機の表面板上に固定されており、液晶表示パネル１が最前面に位置し、液晶表示パネル２が中央に位置し、液晶表示パネル３が最背面に位置している。少なくとも液晶表示パネル１および液晶表示パネル２は透過型液晶パネルであり、透明な状態に切り換え可能である。３枚の液晶表示パネル１，２，３を前側から見ると、全ての液晶表示パネルに映し出される画像が重なり合い、奥行き感のある一つの画像として視認される。
【００２２】
図３は、本実施例の表示装置１００の動作概要を示すフローチャートである。ステップＳ３０では、操作部１６もしくはセンサ部１８から、タイミング信号種類判別部８にタイミング信号が入力される。ステップＳ３２では、入力した信号からタイミング信号の種類を判別する。本実施例では、通常表示に切り換えるタイミング信号と、イベント表示に切り換えるタイミング信号と、特賞表示に切り換えるタイミング信号の３種類が存在する。
ステップＳ３４では、タイミング信号種類判別部８が、フレームデータ出力パターン記憶部１４から、ステップＳ３２で特定されたタイミング信号の種類に対応するフレームファイルの種類の組み合わせを読み出す。ステップＳ３６では、タイミング信号種類判別部８から同期制御部６へ、ステップＳ３４で特定されたフレームファイルの種類の組み合わせが入力される。ステップＳ３８では、同期制御部６が、フレームデータ群記憶部１０からフレームデータを読み込み、表示パネル１〜３へ出力する。このとき、同期制御部６は、ステップＳ３４で決定されたフレームファイルから、予め同時に表示すると決められている３個のフレームデータを特定し、特定された３個のフレームデータを３つの表示パネル１〜３に出力する。遊技機が駆動している間、この処理過程を繰返す。
【００２３】
図５に、フレームファイルの種類を切り換えるフローチャートを示す。ステップＳ５０では、通常状態で表示する動画を表示している。後記するイベント信号も特賞信号も入力されていない状態では、通常状態で表示する動画を表示している。この場合、タイミング信号種類判別部８が同期制御部６に対して、表示パネル１にはフレームファイルＦＦ１２０からフレームデータを選択して出力し、表示パネル２にはフレームファイルＦＦ２１０からフレームデータを選択して出力し、表示パネル３にはフレームファイルＦＦ３３０からフレームデータを選択して出力するように指令する。
ステップＳ５２でタイミング信号種類判別部８にタイミング信号が入力されると、ステップＳ５４でイベント状態に切り換えるタイミング信号を入力したのか否かを判断する。イベント信号が入力されなければ、ステップＳ５０に戻って、通常状態で表示する動画の表示を続ける。
ステップＳ５４でイベント状態に切り換えるタイミング信号を入力したと判別されると、ステップＳ５６へ進む。ステップＳ５６では、同期制御部６に対して、イベント発生時に表示するフレームファイルの組み合わせが出力される。本実施例では、表示パネル１にはフレームファイルＦＦ１２０からフレームデータを選択して出力し、表示パネル２にはフレームファイルＦＦ２１０からフレームデータを選択して出力し、表示パネル３にはフレームファイルＦＦ３２０からフレームデータを選択して出力するように指令する。
ステップＳ５８では、イベントが発生している状態で、タイミング信号種類判別部８に特賞状態に切り換えるタイミング信号が入力したか否かを判断をする。特賞状態が発生しない場合（判断がＮＯの場合）には、ステップＳ５０に戻って、通常状態で表示する動画の表示に戻る。
ステップＳ５８で特賞状態に切り換えるタイミング信号が入力したと判別されると、ステップＳ６０へ進む。ステップＳ６０では、同期制御部６に対して、特賞発生時に表示するフレームファイルの組み合わせが出力される。本実施例では、表示パネル１にはフレームファイルＦＦ１１０からフレームデータを選択して出力し、表示パネル２にはフレームファイルＦＦ２１０からフレームデータを選択して出力し、表示パネル３にはフレームファイルＦＦ３１０からフレームデータを選択して出力するように指令する。
特賞状態が終了すると、通常状態での表示へと移行する。
【００２４】
図９は、特賞発生時に表示パネル１から３に表示される動画を重ねた動画であり、実際に見える奥行きのある表示を平面的に示す図である。特賞発生時には、フレームデータ出力パターン記憶部１４に記憶された出力パターンのなかから、ＦＦ１１０、ＦＦ２１０、およびＦＦ３１０の組み合わせが選出され、それらのフレームファイルから選択されるフレームデータに従った画像が表示パネル１から３に重ね表示される。表示部４の正面から見ると、ｆ４１１、ｆ４１２およびｆ４１３と時間的に変化する動画が観察される。この場合、紙吹雪の中で引き戸が開くとともに、奥から現れるメッセージが奥行き感を伴って視認可能となる。
図７と図８（ａ）〜（ｃ）を見比べると明らかに、手前側に表示されるＦＦ２１０に記述されている開閉扉の奥側に表示される範囲では、ＦＦ３１０〜３３０のいずれでも、無模様となっている。そのために、開閉扉の背後にあって見えないはずのものが透けて見えることがない。
なお、表示の意図によっては、物体の背後にあって見えないはずのものを透けて見せたいことがある。この場合には、手前側に表示される開閉扉の奥側に表示される範囲において、奥側に表示される画像に模様をつければよい。このようにすることで、見えないはずのものが透けて見える演出が可能となる。
【００２５】
図１０は、イベント発生時に重ね表示される動画を平面的に示した図である。イベント発生時には、フレームデータ出力パターン記憶部１４に記憶された出力パターンのなかから、ＦＦ１２０、ＦＦ２１０、およびＦＦ３２０の組み合わせが選出され、それらのフレームファイルから選択されるフレームデータに従った画像が表示パネル１〜３に重ね表示される。表示部４の正面から見ると、ｆ４２１、ｆ４２２およびｆ４２３と時間的に変化する動画が観察される。
図１１は、通常時に重ね表示される動画を平面的に示した図である。通常時には、フレームデータ出力パターン記憶部１４に記憶された出力パターンのなかから、ＦＦ１２０、ＦＦ２１０、およびＦＦ３３０の組み合わせが選出され、それらのフレームファイルから選択されるフレームデータに従った画像が表示パネル１〜３に重ね表示される。表示部４の正面から見ると、ｆ４３１、ｆ４３２およびｆ４３３と時間的に変化する動画が観察される。
【００２６】
利用する液晶パネルの数やタイミング信号の種類数に応じて、フレームデータ群記憶部１０が記憶するフレームファイルの種類数と、フレームデータ出力パターン記憶部１４が記憶するパターン数は増加していく。本実施例では、フレームファイルの種類を組み合わせて用いるために、少ない種類数で多様な表示が可能となる。例えば２枚の液晶パネルが存在する場合、前側の表示パネルのために４種類のフレームファイルを用意し、奥側の表示パネルのために４種類のフレームファイルを用意すれば（あわせて８種類を用意すれば）、１６種類の重ね表示が可能となる。さらに、１つの平面表示パネルに表示されている画像の少なくとも一部が別の平面表示パネルに切り換えて表示されるようにすることも可能である。その際に、大きさや形状を変えて表示させるよう同期制御部がフレームデータの出力を制御することで、より多様な絵表示が可能となる。
【００２７】
（第２実施例）
フレームデータ群記憶部１０が、１つの表示パネルのために複数種類のフレームファイルを記憶している場合、そのうちの１種類の無模様であってもよい。前側の表示パネルに対しては透明な無模様であってもよい。
模様のない表示と模様のある表示を切り換えて用いることで、重ねて配置された複数の液晶表示パネルの奥行きを活用した演出が可能になる。
【００２８】
図１２（ａ）〜（ｃ）に、液晶表示パネル１〜３のそれぞれに表示される画像を例示する。タイミングＴ１では、液晶表示パネル１に無模様のフレームｆ１４１が表示され、液晶表示パネル２に無模様のフレームｆ２４１が表示され、液晶表示パネル３に模様付のフレームｆ３４１が表示される。タイミングＴ２では、液晶表示パネル１に無模様のフレームｆ１４２が表示され、液晶表示パネル２に模様付のフレームｆ２４２が表示され、液晶表示パネル３に無模様のフレームｆ３４２が表示される。タイミングＴ３では、液晶表示パネル１に模様付のフレームｆ１４３が表示され、液晶表示パネル２に無模様のフレームｆ２４３が表示され、液晶表示パネル３に無模様のフレームｆ３４３が表示される。
これを重ね表示すると、図１４に示すように、紙面奥側から手前側に自動車が飛び出てくる画像を立体的に表示することができる。
【００２９】
図１３に、それぞれの液晶表示パネルにおいてフレームファイルの種類を切り換える過程を示す。図１３に示すように、表示パネル１のために２種類のフレームファイルＦＦ１５０とＦＦ１００が用意されており、表示パネル２のために２種類のフレームファイルＦＦ２５０とＦＦ２００が用意されており、表示パネル３のために２種類のフレームファイルＦＦ３５０とＦＦ３００が用意されている。
ＦＦ１００、ＦＦ２００およびＦＦ３００は無模様を記述するフレームデータを記憶している。ＦＦ１５０、ＦＦ２５０、ＦＦ３５０は、自動車の図柄を記述するフレームデータを記憶している。図１３では、実際に表示部４へ出力されるフレームファイルの種類を実線で示している。液晶表示パネル１では、タイミングＴ３において、表示されるフレームファイルの種類がＦＦ１００からＦＦ１５０へ切り換えられることで、図１２（ａ）に示すような画像が視認される。液晶表示パネル２では、Ｔ２において、表示されるフレームファイルの種類がＦＦ２００からＦＦ２５０へ切り換えられ、Ｔ３において再びＦＦ２５０からＦＦ２００へ切り換えられることで、図１２（ｂ）に示すような画像が視認される。液晶表示パネル３では、Ｔ２において、表示されるフレームファイルの種類がＦＦ３５０からＦＦ３００へと切り換えられることで、図１２（ｃ）に示すような画像が視認される。一方の表示パネルでは無模様に切り換えるのに同期にして他方の表示パネルで模様を表示するように切り換え、他のタイミングでは、一方の表示パネルで模様を表示するように切り換えるのに同期して他方の表示パネルで無模様を表示するように切り換えると、模様を有する図柄が前後に移動し、奥行き感のある表示が可能となる。
なお時間Ｔ１から時間Ｔ３のいずれの時点でも、表示パネル１〜３は画像を表示しており、表示パネルは常に表示している。
【００３０】
（第３実施例）
さらに、フレームデータ群記憶部１０が１つの表示パネルのために複数種類のフレームファイルを記憶している場合、後側の表示パネルに表示するフレームファイル群の１種類は前側の平面表示パネルに視野を遮る画像が表示されている範囲を無模様とした背景を記述するフレームファイル群であってもよい。
例えば、前側にある複数の表示パネルにおいて模様のない表示と模様のある表示を切り換え、さらにその後側にある表示パネルに背景模様を記述するフレームデータを用いることで、重ねて配置された複数の液晶表示パネルの奥行きをさらに活用した演出が可能になる。
【００３１】
図１５に、最も後側に位置する液晶表示パネル３に表示される画像を例示する。タイミングＴ１では、液晶表示パネル１に無模様のフレームｆ１４１が表示され、液晶表示パネル２に無模様のフレームｆ２４１が表示され、液晶表示パネル３に模様付のフレームｆ３６１が表示される。タイミングＴ２では、液晶表示パネル１に無模様のフレームｆ１４２が表示され、液晶表示パネル２に模様付のフレームｆ２４２が表示され、液晶表示パネル３に模様付のフレームｆ３６２が表示される。タイミングＴ３では、液晶表示パネル１に模様付のフレームｆ１４３が表示され、液晶表示パネル２に無模様のフレームｆ２４３が表示され、液晶表示パネル３に模様付のフレームｆ３６３が表示される。
これを重ね表示すると、図１７に示すように、背景が最も後側の液晶表示パネル３に表示されたまま、紙面奥側から手前側に自動車が飛び出てくる画像を立体的に表示することができる。本実施例は平面表示パネルに表示される画像の例示を自動車で行ったが、フレームデータに記述されている画像の少なくとも一部が、人物、動物、もしくはボールや立体的な数字などの可動物体のうち少なくとも１つを含んでいてもよい。
【００３２】
図１６に、それぞれの液晶表示パネルにおいてフレームファイルの種類を切り換える過程を示す。図１６に示すように、表示パネル１のために２種類のフレームファイルＦＦ１５０とＦＦ１００が用意されており、表示パネル２のために２種類のフレームファイルＦＦ２５０とＦＦ２００が用意されており、表示パネル３のために１種類のフレームファイルＦＦ３６０が用意されている。
ＦＦ１００およびＦＦ２００は無模様を記述するフレームデータを記憶している。ＦＦ１５０、ＦＦ２５０は自動車の図柄を記述するフレームデータを記憶している。ＦＦ３６０は、自動車の図柄と背景を記述するフレームデータを記憶している。図１６では、実際に表示部４へ出力されるフレームファイルの種類を実線で示している。液晶表示パネル１では、タイミングＴ３において、表示されるフレームファイルの種類がＦＦ１００からＦＦ１５０へ切り換えられることで、図１２（ａ）に示すような画像が視認される。液晶表示パネル２では、Ｔ２において、表示されるフレームファイルの種類がＦＦ２００からＦＦ２５０へ切り換えられ、Ｔ３において再びＦＦ２５０からＦＦ２００へ切り換えられることで、図１２（ｂ）に示すような画像が視認される。液晶表示パネル３では、Ｔ１からＴ３の期間おいて、ＦＦ３６０の１種類のフレームファイルを出力表示するため、図１５に示すような画像が視認される。タイミングＴ１では液晶表示パネル３が模様を表示するように切換えるのに同期してその他の液晶表示パネルが無模様を表示するように切り替え、タイミングＴ２では液晶表示パネル２では模様を表示するように切り換えるのに同期して液晶表示パネル１で無模様を表示するように切り換え（実際にはＴ１の時点から無模様表示のままの状態が視認される）、タイミングＴ３では液晶表示パネル１で模様を表示するように切り換えるのに同期して液晶表示パネル２で無模様を表示するように切り換えると、背景を後側に残したまま、自動車の図柄が前後に移動し、さらに奥行き感のある表示が可能となる。背景は、意図する演出によっては、前側の平面表示パネルに視野を遮る画像が表示されている範囲を無模様としない背景を記述するデータにより構成されてもよい。例えば、背景を前側の平面表示パネルに表示されている画像に意図的に透過させるような演出を行うことが可能になる。
なお時間Ｔ１から時間Ｔ３のいずれの時点でも、表示パネル１〜３は画像を表示しており、表示パネルは常に表示している。
【００３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば、前面に配置されている表示パネルに表示されている図柄によって遮られる部分では、後側に配置されている表示パネルに、透明、黒色、白色、あるいは背景色の無模様を配置すればよい。
さらに、表示パネルに表示される画像を構成する一部の絵柄のみが表示パネルを切り換えて表示され、その他の絵柄はそれぞれの表示パネルに固定されて表示するような構成をとってもよい。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３４】
【図１】本実施例の概略構成を示すブロック図である。
【図２】表示部の液晶表示パネルの配置構成を示す図である。
【図３】実施例の動作の概略過程を示すフローチャートである。
【図４】フレームファイルの概略構成を示す図である。
【図５】駆動状態の移行過程を示すフローチャートである。
【図６】液晶表示パネル１に出力されるフレームファイルＦＦ１１０とＦＦ１２０の内容を表わした図である。
【図７】液晶表示パネル２に出力されるフレームファイルＦＦ２１０の内容を表わした図である。
【図８】液晶表示パネル３に出力されるフレームファイルＦＦ３１０とＦＦ３２０とＦＦ３３０の内容を表わした図である。
【図９】特賞発生時に表示部４で視認される画像を表わした図である。
【図１０】イベント発生時に表示部４で視認される画像を表わした図である。
【図１１】通常時に表示部４で視認される画像を表わした図である。
【図１２】液晶表示パネル１〜３に表示される画像の時間的変化を示す図である。
【図１３】各液晶表示パネルに出力されるフレームファイルの種類の切り換え過程を表わす図である。
【図１４】フレームファイルの切り換えによって、表示部４で視認される画像を表わした図である。
【図１５】液晶表示パネル３に出力されるフレームファイルＦＦ３６０の内容を表わした図である。
【図１６】各液晶表示パネルに出力されるフレームファイルの種類の切り換え過程を表わす図である。
【図１７】フレームファイルの切り換えによって、表示部４で視認される画像を表わした図である。
【符号の説明】
【００３５】
１：液晶表示パネル
２：液晶表示パネル
３：液晶表示パネル
４：表示部
６：同期制御部
８：タイミング信号種類判別部
１０：フレームデータ群記憶部
１４：フレームデータ出力パターン記憶部
１６：操作部
１８：センサ部
【図１】
2007233074.tif 000003
【図２】
2007233074.tif 000004
【図３】
2007233074.tif 000005
【図４】
2007233074.tif 000006
【図５】
2007233074.tif 000007
【図６】
2007233074.tif 000008
【図７】
2007233074.tif 000009
【図８】
2007233074.tif 000010
【図９】
2007233074.tif 000011
【図１０】
2007233074.tif 000012
【図１１】
2007233074.tif 000013
【図１２】
2007233074.tif 000014
【図１３】
2007233074.tif 000015
【図１４】
2007233074.tif 000016
【図１５】
2007233074.tif 000017
【図１６】
2007233074.tif 000018
【図１７】
2007233074.tif 000019